(57)【要約】【課題】負極と正極との間に樹脂結着剤と無機酸化物フィラーとを含む多孔性保護膜などから成る耐熱層を有する非水系電解質二次電池を急速充電する。【解決手段】ＣＣ−ＣＶ充電が標準であるリチウムイオン電池などの二次電池を急速充電するにあたって、二次電池に前記のような二次電池を用いる場合、該二次電池は温度が高くなる程内部抵抗値が小さくなる特性を有するので、従来のＣＣ領域に、二次電池の温度から、充電電流を流しても過温度とならない最大レベルの最適充電電流値で充電を行うＶＣ（可変電流）充電の領域を新たに設ける。これによって、過温度となることを防止しつつ、充電時間を短縮することができる。【選択図】図３
2008204800.tif 000002
【特許請求の範囲】
【請求項１】
負極と正極との間に耐熱層を有する非水系電解質二次電池を急速充電するための方法において、
前記二次電池の少なくとも温度を検出するステップと、
検出された温度に対応した二次電池の内部抵抗値を求めるステップと、
前記検出された温度と前記内部抵抗値とから、充電電流を流しても過温度とならない最大レベルの充電電流値を最適充電電流値として求めるステップと、
求められた前記最適充電電流値の電流を供給するステップとを含むことを特徴とする非水系電解質二次電池の急速充電方法。
【請求項２】
前記最適充電電流値を求めるステップは、
検出された温度が急速充電を休止すべき予め定める休止温度以下であるか否かを判定するステップと、
前記温度判定のステップにおいて、検出された温度が前記休止温度以下であるときに行われ、一定間隔で検出された温度から、充電に伴う温度上昇率を算出するステップと、
算出された温度上昇率が予め定める値以下であるか否かを判定するステップと、
前記温度上昇率判定のステップにおいて、温度上昇率が予め定める値以下であるときに、その時点の充電電流値に予め定める増分を加算して前記最適充電電流値として更新するステップとを備えて成り、
前記温度を検出するステップおよび内部抵抗値を求めるステップと、上記のような最適充電電流値を求めるステップと、前記最適充電電流値で充電を行うステップとを予め定める周期で繰返し行うことを特徴とする請求項１記載の非水系電解質二次電池の急速充電方法。
【請求項３】
前記二次電池の端子電圧を検出するステップと、
前記二次電池の劣化度を判定するステップと、
検出された端子電圧および劣化度に対応して前記最適充電電流値を補正するステップとをさらに備えることを特徴とする請求項１または２記載の非水系電解質二次電池の急速充電方法。
【請求項４】
負極と正極との間に耐熱層を有する非水系電解質二次電池を備える電池パックと、前記非水系電解質二次電池を充電するための充電電流供給手段および前記充電電流供給手段の充電電流を制御する充電制御手段とを備えた電子機器において、
前記電池パックは、前記二次電池の温度を検出する温度検出手段を備え、
前記充電制御手段は、前記温度検出手段から前記二次電池の温度を取得する電池温度取得手段を備え、前記電池温度取得手段より得られた温度および前記温度に対応した二次電池の内部抵抗値から、過温度とならない最大レベルの充電電流値を最適充電電流値として求めて前記充電電流供給手段に設定することを特徴とする電子機器。
【発明の詳細な説明】
【技術分野】
【０００１】
本発明は、負極と正極との間に樹脂結着剤と無機酸化物フィラーとを含む多孔性保護膜などから成る耐熱層を有する非水系電解質二次電池を急速充電するための方法およびそれを用いる電子機器に関する。
【背景技術】
【０００２】
前記のように、非水系電解質二次電池において、負極と正極との間に、樹脂結着剤と無機酸化物フィラーとを含む多孔性保護膜から成る耐熱層を有するものが、たとえば特許文献１に記載されている。そのような構造によれば、製造時に、電極から剥がれ落ちた活物質や裁断工程での切り屑などが電極表面に付着しても、その後に内部短絡が発生することが抑制されている。
【０００３】
ここで、リチウムイオン二次電池の典型的な従来技術の充電方法は、たとえば図７に示すようなものである。すなわち、たとえば満充電状態の電池を１時間で放電可能な電流値を１Ｃとするとき、０．７〜１Ｃ程度の電流で、予め定められる充電終了電圧Ｖｆ、たとえば４．２ＶまではＣＣ（定電流）充電を行い、その充電終了電圧Ｖｆとなってからは、その充電終了電圧Ｖｆを維持するように充電電流を減少させてゆくＣＶ（定電圧）充電に切換わるのが標準的である。
【特許文献１】特許第３３７１３０１号公報
【発明の開示】
【発明が解決しようとする課題】
【０００４】
一方、一般のリチウムイオン二次電池が内部抵抗値の温度依存が小さいのに対して、前述のような構造の非水系電解質二次電池では、前記内部抵抗値が温度によって変化することが知見された。そこで、本件発明者は、この特性を利用して、一層の急速充電の手法を発明した。
【０００５】
本発明の目的は、負極と正極との間に耐熱層を有する非水系電解質二次電池において、充電時間を短縮することができる非水系電解質二次電池の急速充電方法および電子機器を提供することである。
【課題を解決するための手段】
【０００６】
本発明の非水系電解質二次電池の急速充電方法は、負極と正極との間に耐熱層を有する非水系電解質二次電池を急速充電するための方法において、前記二次電池の少なくとも温度を検出するステップと、検出された温度に対応した二次電池の内部抵抗値を求めるステップと、前記検出された温度と前記内部抵抗値とから、充電電流を流しても過温度とならない最大レベルの充電電流値を最適充電電流値として求めるステップと、求められた前記最適充電電流値の電流を供給するステップとを含むことを特徴とする。
【０００７】
また、本発明の電子機器は、負極と正極との間に耐熱層を有する非水系電解質二次電池を備える電池パックと、前記非水系電解質二次電池を充電するための充電電流供給手段および前記充電電流供給手段の充電電流を制御する充電制御手段とを備えた電子機器において、前記電池パックは、前記二次電池の温度を検出する温度検出手段を備え、前記充電制御手段は、前記温度検出手段から前記二次電池の温度を取得する電池温度取得手段を備え、前記電池温度取得手段より得られた温度および前記温度に対応した二次電池の内部抵抗値から、過温度とならない最大レベルの充電電流値を最適充電電流値として求めて前記充電電流供給手段に設定することを特徴とする。
【０００８】
上記の構成によれば、たとえば予め定められる充電終了電圧まではＣＣ（定電流）充電を行い、その充電終了電圧となってからはＣＶ（定電圧）充電に切換わるのが標準であるリチウムイオン電池などの二次電池の充電方法およびそれを用いる電子機器において、急速充電を実現するにあたって、本発明では、前記ＣＣ領域の充電電流値を、二次電池の温度に応じて変化する最適充電電流値とする。そして、負極と正極との間に樹脂結着剤と無機酸化物フィラーとを含む多孔性保護膜などから成る耐熱層を有する非水系電解質二次電池は、温度が高くなる程内部抵抗値が小さくなる特性を有するので、前記最適充電電流値を、検出された実際の二次電池の温度から、充電電流を流しても過温度とならない最大レベルの充電電流値に設定する。これは、前記の非水系電解質二次電池の特性から、大きな電流を流せば、温度が高くなって内部抵抗値が下がり、より急速充電できるけれども、過温度状態となってＰＴＣなどの保護素子が動作する温度、たとえば８０℃以上となると充電が停止してしまい、結果として充電時間が長くなったり、小さな電流であれば、なかなか温度が上がらず、内部抵抗値も高いままで、これによっても充電時間が長くなってしまうためである。その後、端子電圧が充電終了電圧となるなどしてＣＶ充電等を行って充電を終了する。
【０００９】
したがって、過温度となることを防止しつつ、充電時間を短縮することができる。二次電池の劣化によって各温度に対する内部抵抗値が変化しても、同様の傾向を示すので、同様の制御で充電時間を短縮することができる。
【００１０】
さらにまた、本発明の非水系電解質二次電池の急速充電方法では、前記最適充電電流値を求めるステップは、検出された温度が急速充電を休止すべき予め定める休止温度以下であるか否かを判定するステップと、前記温度判定のステップにおいて、検出された温度が前記休止温度以下であるときに行われ、一定間隔で検出された温度から、充電に伴う温度上昇率を算出するステップと、算出された温度上昇率が予め定める値以下であるか否かを判定するステップと、前記温度上昇率判定のステップにおいて、温度上昇率が予め定める値以下であるときに、その時点の充電電流値に予め定める増分を加算して前記最適充電電流値として更新するステップとを備えて成り、前記温度を検出するステップおよび内部抵抗値を求めるステップと、上記のような最適充電電流値を求めるステップと、前記最適充電電流値で充電を行うステップとを予め定める周期で繰返し行うことを特徴とする。
【００１１】
上記の構成によれば、前記温度判定のステップおよび温度上昇率の判定のステップを行うことで、前記のように充電電流を流しても過温度とならないように抑えることができ、前記最適充電電流値の更新のステップを行うことで、充電電流値を最大レベルまで高めることができる。こうして、前記のような充電電流を流しても過温度とならない最大レベルの充電電流値を最適充電電流値として求めることができる。
【００１２】
また、本発明の非水系電解質二次電池の急速充電方法は、前記二次電池の端子電圧を検出するステップと、前記二次電池の劣化度を判定するステップと、検出された端子電圧および劣化度に対応して前記最適充電電流値を補正するステップとをさらに備えることを特徴とする。
【００１３】
上記の構成によれば、二次電池の製造からの時間経過、充放電回数、充放電容量などの積算値、或いは実際にＯＣＶ（開放回路電圧），ＣＣＶ（閉回路電圧）を測ってみるなどして求めた二次電池の劣化度に、測定された端子電圧から、前記最適充電電流値を補正する。
【００１４】
したがって、より高精度に充電時間を短縮することができる。
【発明の効果】
【００１５】
本発明の非水系電解質二次電池の急速充電方法およびそれを用いる電子機器は、以上のように、ＣＣ−ＣＶ充電が標準であるリチウムイオン電池などの二次電池を急速充電するにあたって、二次電池に負極と正極との間に樹脂結着剤と無機酸化物フィラーとを含む多孔性保護膜などから成る耐熱層を有する非水系電解質二次電池を用いる場合、該二次電池は温度が高くなる程内部抵抗値が小さくなる特性を有するので、前記ＣＣ領域の充電電流値を、二次電池の温度から、充電電流を流しても過温度とならない最大レベルの最適充電電流値に設定する。
【００１６】
それゆえ、過温度となることを防止しつつ、充電時間を短縮することができる。
【００１７】
さらにまた、本発明の非水系電解質二次電池の急速充電方法は、以上のように、前記最適充電電流値を、検出された温度が急速充電を休止すべき温度以下であり、かつ充電に伴う温度上昇率が予め定める値以下であるときに求めるようにし、その時点の充電電流値に予め定める増分を加算して更新する動作を繰返し行って求める。
【００１８】
それゆえ、前記温度判定および温度上昇率の判定を行うことで、充電電流を流しても過温度とならないように抑えることができ、前記最適充電電流値の更新のステップを行うことで、充電電流値を最大レベルまで高めることができる。こうして、前記のような充電電流を流しても過温度とならない最大レベルの充電電流値を最適充電電流値として求めることができる。
【００１９】
また、本発明の非水系電解質二次電池の急速充電方法は、以上のように、二次電池の製造からの時間経過、充放電回数、充放電容量などの積算値、或いは実際にＯＣＶ，ＣＣＶを測ってみるなどして求めた二次電池の劣化度に、測定された端子電圧から、前記最適充電電流値を補正する。
【００２０】
それゆえ、より高精度に充電時間を短縮することができる。
【発明を実施するための最良の形態】
【００２１】
［実施の形態１］
図１は、本発明の実施の第１の形態に係る電子機器の電気的構成を示すブロック図である。この電子機器は、電池パック１に、それを充電する充電器２および図示しない負荷機器を備えて構成される。電池パック１は、図１では充電器２から充電が行われるけれども、該電池パック１が前記負荷機器に装着されて、負荷機器を通して充電が行われてもよい。電池パック１および充電器２は、給電を行う直流ハイ側の端子Ｔ１１，Ｔ２１と、通信信号の端子Ｔ１２，Ｔ２２と、給電および通信信号のためのＧＮＤ端子Ｔ１３，Ｔ２３とによって相互に接続される。前記負荷機器が設けられる場合も、同様の端子が設けられる。
【００２２】
前記電池パック１内で、前記の端子Ｔ１１から延びる直流ハイ側の充放電経路１１には、充電用と放電用とで、相互に導電形式が異なるＦＥＴ１２，１３が介在されており、その充放電経路１１が二次電池１４のハイ側端子に接続される。前記二次電池１４のロー側端子は、直流ロー側の充放電経路１５を介して前記ＧＮＤ端子Ｔ１３に接続され、この充放電経路１５には、充電電流および放電電流を電圧値に変換する電流検出抵抗１６が介在されている。
【００２３】
前記二次電池１４は、１または複数のセルが直並列に接続されて成る。この二次電池１４は、前記特許文献１で示されるような負極と正極との間に樹脂結着剤と無機酸化物フィラーとを含む多孔性保護膜から成る耐熱層を有するものである。前記無機酸化物フィラーは、粒径が０．１μｍ〜５０μｍの範囲にあるアルミナ粉末またはＳｉＯ２粉末（シリカ）より選ばれる。また、前記多孔性保護膜の厚みは、０．１μｍ〜２００μｍに設定され、該多孔性保護膜は、前記樹脂結着剤と前記無機酸化物フィラーとを含む微粒子スラリーが、前記負極または正極の表面の少なくとも一方に塗布されて成る。このような二次電池を用いることで、万が一、過充電状態となって金属リチウムが樹木状に析出することがあっても、前記耐熱層によって、それが負極と正極との間を短絡してしまうことを防止することができるので、本実施の形態のような急速充電に特に好適である。
【００２４】
前記二次電池１４のセル温度は温度センサ１７によって検出され、制御ＩＣ１８内のアナログ／デジタル変換器１９に入力される。また、前記各セルの端子間電圧は電圧検出回路２０によって読取られ、前記制御ＩＣ１８内のアナログ／デジタル変換器１９に入力される。さらにまた、前記電流検出抵抗１６によって検出された電流値も、前記制御ＩＣ１８内のアナログ／デジタル変換器１９に入力される。前記アナログ／デジタル変換器１９は、各入力値をデジタル値に変換して、充電制御判定部２１へ出力する。
【００２５】
充電制御判定部２１は、マイクロコンピュータおよびその周辺回路などを備えて成り、前記アナログ／デジタル変換器１９からの各入力値に応答して、残量（ＳＯＣ）を演算するとともに、通信部２２から端子Ｔ１２，Ｔ２２；Ｔ１３，Ｔ２３を介して充電器２へ、前記各セル温度の異常の有無、および充電器２に要求する充電電圧値および電流値を送信する。充電制御判定部２１は、正常に充放電が行われているときには、前記ＦＥＴ１２，１３をＯＮして充放電を可能にし、異常が検出されるとＯＦＦして充放電を不可とする。
【００２６】
充電器２では、前記の温度や異常の有無および要求の充電電圧値および電流値を制御ＩＣ３０の通信部３２で受信し、充電制御部３１が充電電流供給回路３３を制御して、その電圧値および電流値で充電電流を供給させる。充電電流供給回路３３は、ＡＣ−ＤＣコンバータやＤＣ−ＤＣコンバータなどから成り、入力電圧を、任意の電圧値および電流値に変換して、端子Ｔ２１，Ｔ１１；Ｔ２３，Ｔ１３を介して、充放電経路１１，１５へ供給する。
【００２７】
上述のように構成される電子機器において、注目すべきは、本実施の形態では、設定手段であり、充電制御手段である前記充電制御部３１は、二次電池１４に急速充電を行うにあたって、電池温度取得手段である通信部３２，２２を介して、温度センサ１７によって検出されたセル温度を受信し、たとえば図２で示すように、温度Ｔが高くなる程、小さくなる二次電池１４の内部抵抗値から、充電電流を流しても過温度とならない最大レベルの充電電流値を最適充電電流値として求め、充電制御手段である前記充電電流供給回路３３に設定し、求められた前記最適充電電流値の電流を二次電池１４へ供給させることである。
【００２８】
すなわち、図３で示すように、従来のＣＣ（定電流）充電の領域に、前記過温度とならない最大レベルの充電電流値で充電を行うＶＣ（可変電流）充電の領域を新たに含めることである。前記図７と同様に、図３（ａ）はセル電圧の変化を示すグラフであり、図３（ｂ）は充電電流の変化を示すグラフである。なお、図３では、図面の簡単化のために、前記ＶＣ充電領域で充電電流値を大きくしてゆき、セル温度が上昇すると、過温度とならないようにその充電電流値を維持するＣＣ充電領域に移っているけれども、セル温度の変化によって、これら２つの充電領域は、適宜頻繁に切り替わることもある。
【００２９】
図４は、前記充電制御部３１によるそのような充電動作を詳しく説明するためのフローチャートである。前記充電制御部３１は、ステップＳ１で、電池パック１側の充電制御判定部２１から、充電電圧Ｖｒおよび電流Ｉｒの許可があるまで待機し、該充電器２に電池パック１が装着され、前記充電電圧Ｖｒおよび電流Ｉｒの許可を受信すると、以後、その許可の範囲で充電を行う。許可電流Ｉｒ以上の充電電流が流れたときには、前記充電制御判定部２１が充電制御部３１にアラームを送りつつ、ＦＥＴ１２，１３をＯＦＦする。
【００３０】
先ず、ステップＳ２において、前記充電電流供給回路３３に、供給すべき充電電流値Ｉとして予め定める初期値Ｉｓｔを設定し、充電動作を開始する。なお、充電開始時点での電池パック１の許可電圧Ｖｒは、前記充電終了電圧Ｖｆ、たとえば４．２Ｖであり、許可電流Ｉｒは、最大電流Ｉｍａｘ、たとえば１Ｃである。
【００３１】
ステップＳ３では、電池パック１がＣＶ充電の領域に移ったか否かが判断され、そうでない場合にはステップＳ４以降の処理に移り、前記ＶＣまたはＣＣ充電領域で、以下に示す本実施の形態の急速充電動作を行い、そうである場合にはステップＳ１１以降の処理に移り、前記ＣＶ充電領域で、従来通りの充電動作を行う。なお、ＣＶ充電の領域に移ったことは、出力する充電電圧が前記許可電圧Ｖｒに達したことから判定することができる。
【００３２】
ステップＳ４では、電池パック１からセル温度Ｔのデータを受信・記憶し、ステップＳ５では、受信されたセル温度Ｔが急速充電を休止すべき予め定める休止温度Ｔｔｈ１以下であるか否かが判定され、そうであるときにはステップＳ６以降の処理に移って急速充電を行う。ステップＳ６では、記憶しているセル温度Ｔのデータから、予め定める時間Δｔだけ以前のデータとの差分、すなわち温度上昇率ΔＴ／Δｔが算出され、ステップＳ７では、その算出された温度上昇率ΔＴ／Δｔが予め定める値Ｔｔｈ２以下であるか否かが判定され、値Ｔｔｈ２以下であると、ステップＳ８で、現在供給している充電電流値Ｉに、予め定める増分ΔＩを加算して充電電流値Ｉを増大させた後、前記ステップＳ３に戻る。これに対して、前記ステップＳ７において温度上昇率ΔＴ／Δｔが値Ｔｔｈ２を超えているときには、ステップＳ９で予め定める時間だけ待機した後に、前記ステップＳ３に戻る。
【００３３】
したがって、ステップＳ８からステップＳ３に戻るとＶＣ充電を行うことになり、ステップＳ９からステップＳ３に戻るとＣＣ充電を行うことになる。こうして、ステップＳ４〜Ｓ８の処理を繰返すことで、充電電流値Ｉは、前記のような過温度とならない最大レベルの値である最適充電電流値とすることができる。
【００３４】
一方、前記ステップＳ３でＣＶ充電に移ると、ステップＳ１１で、供給している充電電圧Ｖが電池パック１からの許可電圧Ｖｒより高いか判定を行い、高い場合にはステップＳ１２で充電電流値Ｉから予め定める減分ΔＩ１を減算して充電電流値Ｉを減少させる。その後、ステップＳ１３で、減少された充電電流値Ｉが充電電流の供給を停止すべき０に限りなく近い予め定める値Ｉｓｔｐ、たとえば１０ｍＡまで減少したか否かが判断され、減少しているときには充電制御部３１は満充電であると判定し、ステップＳ１４で、充電電流Ｉの供給を停止するとともに、インジケータなどがある場合には、満充電表示を行い、処理を終了する。前記ステップＳ１３において、Ｉ＝Ｉｓｔｐでない場合、すなわち充電電流の許可がまだある場合には前記ステップＳ１１に戻る。
【００３５】
また、前記ステップＳ５において、受信されたセル温度Ｔが休止温度Ｔｔｈ１を超えているときには、さらにステップＳ１８において、充電電流値Ｉを下げるべき過温度状態と判定する過温度Ｔｔｈ３以上であるか否かが判断され、過温度Ｔｔｈ３になっていない場合には前記ステップＳ３に戻って現在の充電電流値Ｉが維持され、過温度Ｔｔｈ３になっている場合にはステップＳ１９で、現在の充電電流値Ｉから前記増分ΔＩを減算して緊急に充電電流値Ｉを減少させた後、前記ステップＳ３に戻る。
【００３６】
このように構成することで、二次電池１４が前記のように負極と正極との間に耐熱層を有し、温度が高くなる程内部抵抗値が小さくなる特性を有する非水系電解質二次電池から成る場合に、ＰＴＣなどの保護素子が動作する過温度状態とならないぎりぎりの温度で、低下させた内部抵抗値を利用して大電流で充電を行うので、充電時間を短縮することができる。
【００３７】
また、前記最適充電電流値を、検出された温度Ｔが急速充電を休止すべき温度Ｔｔｈ１以下であり、かつ充電に伴う温度上昇率ΔＴ／Δｔが予め定める値Ｔｔｈ２以下であるときに求めるようにし、その時点の充電電流値Ｉに予め定める増分ΔＩを加算して更新する動作を繰返し行って求めるので、前記温度判定および温度上昇率の判定を行うことで、充電電流を流しても過温度とならないように抑えることができ、前記最適充電電流値の更新のステップを行うことで、充電電流値Ｉを最大レベルまで高めることができる。こうして、前記のような充電電流を流しても過温度とならない最大レベルの充電電流値を最適充電電流値として求めることができる。
【００３８】
なお、二次電池１４の劣化によって各温度に対する内部抵抗値が変化しても、同様の傾向を示すので、前記図４の制御をそのまま使用することができる。また、上述の説明では、増分ΔＩずつ充電電流値Ｉを増大して、それによる温度Ｔのデータから、前記過温度とならない最適充電電流値を探索しているけれども、その最適充電電流値は、温度に対応したテーブルなどで保持され、必要なデータポイントのデータが適宜補間演算などによって求められたり、或いは予め係数等が定められた数式などから逐次計算によって求められたりしてもよい。この場合、実際の充電電流値Ｉを速やかに最適充電電流値に設定することができる。しかしながら、徐々に充電電流値Ｉを増大して最適充電電流値を探索する場合には、前記の劣化などにも適応することができる。これらの最適充電電流値の設定方法は、適宜選択されればよい。
【００３９】
なお、本実施の形態は電池パック１側にアナログ／デジタル変換器１９を実装し、通信部２２，３２を介して充電器２側の充電制御部３１へ電池温度や電池電圧の情報を送付しているが、充電制御部３１にアナログ／デジタル変換器を実装し、直接読み取ってもよい。また、本実施の形態は電池パック１とは別に充電制御部３１を設けているが、電池パック１と充電制御部３２とを一体とした充電制御機能搭載の電池パックとしてもよい。
【００４０】
［実施の形態２］
図５は、本発明の実施の第２の形態に係る電子機器における充電動作を説明するためのフローチャートである。本実施の形態には、前述の図１で示す電子機器の構成を用いることができ、この図５の処理において、前述の図４の処理に類似し、対応する部分には同一のステップ番号付して示し、その説明を省略する。注目すべきは、本実施の形態では、前記増分ΔＩは、前記セル温度Ｔおよびその温度上昇率ΔＴ／Δｔだけでなく、端子電圧Ｖ１および二次電池１４の実容量Ｗを考慮して決定されることである。前記内部抵抗値は、前記図２で示すように、温度が高くなる程、小さくなるだけでなく、図６で示すように、ＳＯＣ（State  of  Charge）によって変化する。また、前記内部抵抗値は、充放電の繰返しによって劣化が進むと、高くなる。
【００４１】
そこで、前記充電制御部３１は、ステップＳ８での充電電流値Ｉの更新の前に、ステップＳ２１で充電制御判定部２１が積算しているＳＯＣ（＝端子電圧）のデータ、および充電制御判定部２１が管理している充放電の繰返しによって減少した実容量（満充電状態でのＡｈ）Ｗ（＝劣化度）のデータも取込む。そして、ステップＳ２２では、それらのデータをパラメータとして予め格納されたテーブルを読出したり、或いはそれらのデータの一方をパラメータとして対応するテーブルを読出した後、他方のパラメータで読出した値を補正するなどして、前記増分ΔＩを補正するための係数αを求める。その係数αによって、ステップＳ２３において補正した増分ΔＩを用いて、前記ステップＳ８で充電電流値Ｉが更新される。
【００４２】
このように二次電池１４の製造からの時間経過、充放電回数、充放電容量などの積算値、或いは実際にＯＣＶ，ＣＣＶを測ってみるなどして求めた二次電池の劣化度に、測定された端子電圧Ｖ１から、前記最適充電電流値を補正することで、より高精度に充電時間を短縮することができる。
【００４３】
ここで、特開平９−１０７６３８号公報には、ＣＣモードでの充電中に、所定時間当りの温度変化量、すなわち温度微分値が所定値以下となると、ＣＶモードでの充電終了電圧をそのときの温度に応じた値とすることで、屋外から屋内に持ち込んだ場合のように周囲温度の変化が激しくても、前記ＣＶモードでの充電終了電圧を適宜見直して適切に設定でき、過充電を防止しつつ、満充電まで充電できるようにした充電制御方法が提案されている。
【００４４】
しかしながら、この従来技術では、二次電池の温度を検出してフィードバック制御を行っているけれども、それは二次電池の端子電圧（セル自体の電圧）が温度によって大きく変化してしまうためであり、本発明のように内部抵抗値の温度変化を利用したものではなく、また満充電にすることが目的であり、本発明のように急速充電を目的とするものでもない。
【００４５】
また、特開２００５−２４５０７８号公報には、電磁誘導で充電を行う回路において、電磁誘導による発熱が二次電池の許容温度を超えそうになると、そのときの温度に対応した充電電流値に制御することで、高温環境下でも短時間で充電を行えるようにする電磁誘導充電回路が提案されている。
【００４６】
しかしながら、この従来技術では、温度に応じて充電電流をフィードバック制御するものの、その温度は電磁誘導によるもので、本発明のように内部抵抗との関係を利用したものではない。
【産業上の利用可能性】
【００４７】
ＣＣ−ＣＶ充電が標準であるリチウムイオン電池などの二次電池を急速充電するにあたって、二次電池に負極と正極との間に樹脂結着剤と無機酸化物フィラーとを含む多孔性保護膜などから成る耐熱層を有する非水系電解質二次電池を用いる場合、該二次電池は温度が高くなる程内部抵抗値が小さくなる特性を有することから、前記ＣＣ領域の充電電流値を、二次電池の温度に基づいて、充電電流を流しても過温度とならない最大レベルの最適充電電流値に設定することで、過温度となることを防止しつつ、充電時間を短縮することができ、前記の耐熱層を有する非水系電解質二次電池の急速充電に好適である。
【図面の簡単な説明】
【００４８】
【図１】本発明の実施の第１の形態に係る電子機器の電気的構成を示すブロック図である。
【図２】負極と正極との間に樹脂結着剤と無機酸化物フィラーとを含む多孔性保護膜から成る耐熱層を有する非水系電解質二次電池の温度変化に対する内部抵抗値の変化を説明するためのグラフである。
【図３】本発明の実施の第１の形態に係る充電方法を説明するためのグラフである。
【図４】本発明の実施の第１の形態に係る電子機器における充電動作を詳しく説明するためのフローチャートである。
【図５】本発明の実施の第２の形態に係る電子機器における充電動作を詳しく説明するためのフローチャートである。
【図６】ＳＯＣ変化に対する内部抵抗値の変化を示すグラフである。
【図７】典型的な従来技術の充電方法を説明するためのグラフである。
【符号の説明】
【００４９】
１    電池パック
２    充電器
１１，１５    充放電経路
１２，１３    ＦＥＴ
１４    二次電池
１６    電流検出抵抗
１７    温度センサ
１８，３０    制御ＩＣ
１９    アナログ／デジタル変換器
２０    電圧検出回路
２１    充電制御判定部
２２，３２    通信部
３１    充電制御部
３３    充電電流供給回路
【図１】
2008204800.tif 000003
【図２】
2008204800.tif 000004
【図３】
2008204800.tif 000005
【図４】
2008204800.tif 000006
【図５】
2008204800.tif 000007
【図６】
2008204800.tif 000008
【図７】
2008204800.tif 000009